(57)【要約】【課題】ハウジングに押釦の移動サポート用のリブが突設されていても、押釦の周りにリブを出したくないというデザイン上の要求に応えるとともに、そのサポート機能を維持する。【解決手段】ハウジングの一の面を担うカバー４に連続的に囲繞するリブ４３が突設され、このリブ４３の内面側に形成された孔４４から押釦３を外部に臨ませる構造の電子機器に、パネル５を使用した。パネル５は、ハウジングに取着されてその一の面を担うカバー４を覆うとともに、リブ４３の先端面４３０における孔４４側の一部を残してその先端面４３０の残部およびこれに連通する側面４３１に当接してこれらを覆う。【選択図】　図１
2004055352.tif 000002
【特許請求の範囲】
【請求項１】
ハウジングの一の面に連続または離散的に囲繞するリブが突設され、このリブの内面側に形成された孔から押釦を外部に臨ませる構造の電子機器に使用されるパネルであって、前記ハウジングに取着されてその一の面を覆うとともに、前記リブの先端面における前記孔側の一部を残してその先端面の残部およびこれに連通する側面に当接してこれらを覆うことを特徴とするパネル。
【請求項２】
ハウジングの一の面に連続または離散的に囲繞するリブが突設され、このリブの内面側に形成された孔から押釦を外部に望ませる構造の電子機器であって、前記ハウジングに請求項１記載のパネルが取着されて成ることを特徴とする電子機器。
【発明の詳細な説明】
【０００１】
【発明の属する技術分野】
本発明は、ハウジングの一の面にリブが突設され、このリブの内面側に形成された孔から押釦を外部に臨ませる構造の電子機器に使用されるパネルおよびこれを備えた電子機器に関するものである。
【０００２】
【従来の技術】
図４は従来の電子機器の一部断面図である。従来の電子機器では、図４に示すように、各種電子回路部を収納するハウジングの一の面を担う例えばカバー４Ｘに、押釦３を操作可能に外部に望ませるための孔４４Ｘが形成され、カバー４Ｘの前面に設けられる例えば金属性のパネル５Ｘにも押釦３を外部に望ませるための孔５３Ｘが形成されることがある。しかし、このような構造では、パネル５Ｘの孔５３Ｘが押釦３と干渉するという問題があった。
【０００３】
この問題を解決するために、図５に示すように、ハウジングの一の面を担う例えばカバー４に押釦３囲繞用のリブ４３を突設し、このリブ４３の内面側に孔４４を形成し、この孔４４から押釦３を外部に臨ませるようにするとともに、リブ４３の先端面４３０と例えば面一になるようにパネル５Ｙの厚みを設定し、このパネル５Ｙにリブ４３が填る孔５３Ｙを形成すれば、カバー４の孔４４およびリブ４３の内面が押釦３の側面と面的により広く対向するようになり、パネル５Ｙの干渉を受けずに押釦３の動きを前後方向にサポートすることができるようになる。
【０００４】
【発明が解決しようとする課題】
しかしながら、図５の構造では、押釦３の周りにリブを出したくないというデザイン上の要求に応えることができなかった。
【０００５】
本発明は、上記事情に鑑みてなされたものであり、ハウジングに押釦の移動サポート用のリブが突設されていても、押釦の周りにリブを出したくないというデザイン上の要求に応えるとともに、そのサポート機能を維持することができるパネルおよびこれを備えた電子機器を提供することを目的とする。
【０００６】
【課題を解決するための手段】
上記課題を解決するための請求項１記載の発明は、ハウジングの一の面に連続または離散的に囲繞するリブが突設され、このリブの内面側に形成された孔から押釦を外部に臨ませる構造の電子機器に使用されるパネルであって、前記ハウジングに取着されてその一の面を覆うとともに、前記リブの先端面における前記孔側の一部を残してその先端面の残部およびこれに連通する側面に当接してこれらを覆うことを特徴とする。
【０００７】
請求項２記載の発明は、ハウジングの一の面に連続または離散的に囲繞するリブが突設され、このリブの内面側に形成された孔から押釦を外部に望ませる構造の電子機器であって、前記ハウジングに請求項１記載のパネルが取着されて成ることを特徴とする。
【０００８】
【発明の実施の形態】
図１（ａ）は本発明に係る一実施形態のパネルおよびこれを備えた電子機器の一部を示す斜視図、（ｂ）は同電子機器が備える押釦周りの一部断面図、（ｃ）は同押釦周りの一部断面拡大模式図、図２は同電子機器全体の斜視図である。
【０００９】
図２の例に示す本実施形態の電子機器は、玄関等に設置されるカメラ付きのインタホン子器であり、前方に縦長の開口１０を有する箱状に形成されたボディ１と、実装基板２１、スピーカ２２およびカメラ２３などを含む電子回路部２と、呼出し用の押釦３と、これら電子回路部２および押釦３をボディ１に収納した状態でその開口１０を閉塞するカバー４と、ボディ１およびカバー４により構成されるハウジングに取着されるパネル５とを備えている。
【００１０】
ここで、ハウジングの一の面を担うカバー４には、透光性の板材４０により閉塞される矩形状の窓孔４１が、後方のカメラ２３用として上部に形成され、後方のスピーカ２２用に複数の横長のスリット４２が中央部下方寄りに形成されている。また、カバー４の下方中央部には、連続的に囲繞する横長の矩形状のリブ４３が突設されており、このリブ４３の内面側にそのリブ４３の内面と面一になる横長の矩形状の孔４４が形成されている。そして、孔４４から一部を外部に臨ませるようにして上記押釦３が設けられる。この押釦３は、図１（ａ），（ｂ）に示すように、後方に開口３０を有しこの開口３０の縁部に抜け止め防止用のリブ３１が突設された箱形になっており、そのリブ３１よりも前方の寸法が孔４４の寸法よりも若干小さめに設定されている。
【００１１】
図２に戻って、パネル５は、カバー４の前面側に填り込む縦長の箱状に例えば樹脂により形成され、ハウジングに取着されてその一の面を担うカバー４の前面側を覆うようになっている。また、パネル５の前面には、後方のカメラ２３用に矩形状の窓孔５１が上部に形成され、後方のスピーカ２２用に複数の孔５２が中央部下方寄りに形成され、そして押釦３を外部に望ませるための横長の矩形状の孔５３が下方中央部に形成されている。
【００１２】
この矩形状の孔５３回りのパネル５の構造についてさらに詳述すると、本実施形態のパネル５は、上述のようにハウジングの一の面を担うカバー４の前面側を覆うほか、図１（ｃ）に示すように、リブ４３の先端面４３０における孔４４側の一部を残してその先端面４３０の残部およびこれに連通する側面４３１に当接してこれらを覆う構造になっている。なお、図１（ａ），図２中の５４は、後方に位置する電子回路部２に含まれるマイク用に設けられた孔である。
【００１３】
このように、パネル５が、ハウジングに取着されてカバー４の前面側を覆うとともに、リブ４３の先端面４３０における孔４４側の一部を残してその先端面４３０の残部およびこれに連通する側面４３１に当接してこれらを覆うので、パネル５がリブ４３の内面側に形成された孔４４から離れて押釦３から離れることになるため、パネル５と押釦３との干渉を防止することができる。また、パネル５がリブ４３の先端面４３０の残部およびこれに連通する側面４３１に当接してこれらを覆うため、押釦３の周りにリブ４３を出したくないというデザイン上の要求にも応えることができる。
【００１４】
なお、押釦３の周りにリブ４３を出したくないというデザイン上の要求がなければ、図３に示すように、図５に示したパネル５Ｙと同様にして、リブ４３の先端面４３０と面一になるように形成した例えば金属製のパネル５Ａを、パネル５に代えて使用することによっても、パネル５Ａと押釦３との干渉を防止することができる。
【００１５】
本実施形態では、ハウジングの一の面を担うカバー４に、連続的に囲繞するリブ４３が突設される構造になっているが、本発明のハウジングの一の面に突設されるリブは、ハウジングの一の面の厚みとともに押釦の側面と面的により広く対向して、押釦の動きを前後方向にサポートする構造あれば、離散的に囲繞するリブであってもよい。
【００１６】
また、本実施形態では、電子機器として、カメラ付きのインタホン子器を例に挙げたが、本発明の電子機器は、これに限定されるものではなく、ハウジングの一の面に連続または離散的に囲繞するリブが突設され、このリブの内面側に形成された孔から押釦を外部に臨ませる構造のものであればよい。
【００１７】
【発明の効果】
以上のことから明らかなように、請求項１記載の発明は、ハウジングの一の面に連続または離散的に囲繞するリブが突設され、このリブの内面側に形成された孔から押釦を外部に臨ませる構造の電子機器に使用されるパネルであって、前記ハウジングに取着されてその一の面を覆うとともに、前記リブの先端面における前記孔側の一部を残してその先端面の残部およびこれに連通する側面に当接してこれらを覆うので、パネルがリブの内面側に形成された孔から離れて押釦から離れることになるため、パネルと押釦との干渉を防止することができるほか、パネルがリブの先端面の残部およびこれに連通する側面に当接してこれらを覆うため、押釦の周りにリブを出したくないというデザイン上の要求にも応えることができる。
【００１８】
請求項２記載の発明は、ハウジングの一の面に連続または離散的に囲繞するリブが突設され、このリブの内面側に形成された孔から押釦を外部に望ませる構造の電子機器であって、前記ハウジングに請求項１記載のパネルが取着されて成るので、パネルと押釦との干渉を防止することができるほか、押釦の周りにリブを出したくないというデザイン上の要求にも応えることができる。
【図面の簡単な説明】
【図１】（ａ）は本発明に係る一実施形態のパネルおよびこれを備えた電子機器の一部を示す斜視図、（ｂ）は同電子機器が備える押釦周りの一部断面図、（ｃ）は同押釦周りの一部断面拡大模式図である。
【図２】同電子機器全体の斜視図である。
【図３】別のパネルおよびこれを備えた電子機器の一部を示す斜視図、（ｂ）は同電子機器が備える押釦周りの一部断面図、（ｃ）は同押釦周りの一部断面拡大模式図である。
【図４】従来の電子機器の一部断面図である。
【図５】同電子機器が抱える問題を解決するリブを持つ電子機器の一部断面図である。
【符号の説明】
１　ボディ
２　電子回路部
３　押釦
４　カバー
４０　板材
４１　窓孔
４２　スリット
４３　リブ
４３０　先端面
４３１　側面
４４　孔
５　パネル
５１　窓孔
５２　孔
５３　孔
【図１】
2004055352.tif 000003
【図２】
2004055352.tif 000004
【図３】
2004055352.tif 000005
【図４】
2004055352.tif 000006
【図５】
2004055352.tif 000007